(57)【要約】    【課題】  中柱を有する開閉装置に於いて、簡単な構成で中柱のガイドレールの不連続部分を短くし、シャッタカーテンの円滑な開閉を可能とするものである。    【解決手段】  シャッタカーテンが複数連設けられ、シャッタカーテンの間に中柱３が設けられる開閉装置に於いて、マグサ１７に沿って水平レール８が相対向して設けられ、該水平レールに軌乗する走行車輪１１を介して走行自在に走行台車２１が設けられ、該走行台車は前記中柱が垂設される台部と前記走行車輪が設けられる台側部２５を有し、該台側部は前記台部より前記中柱移動方向に延出して前記台側部間にシャッタカーテンの通過路を形成し、前記台側部の先端部内側にシャッタカーテンガイド部２６，２８を設けた。    【選択図】          図２
2010112116.tif 000002
【特許請求の範囲】
【請求項１】
シャッタカーテンが複数連設けられ、シャッタカーテンの間に中柱が設けられる開閉装置に於いて、マグサに沿って水平レールが相対向して設けられ、該水平レールに軌乗する走行車輪を介して走行自在に走行台車が設けられ、該走行台車は前記中柱が垂設される台部と前記走行車輪が設けられる台側部を有し、該台側部は前記台部より前記中柱移動方向に延出して前記台側部間にシャッタカーテンの通過路を形成し、前記台側部の先端部内側にシャッタカーテンガイド部を設けたことを特徴とする開閉装置。
【請求項２】
前記シャッタカーテンガイド部は、前記台側部と一体に設けられたパネルガイド片及び該パネルガイド片の内側に形成された面取部である請求項１の開閉装置。
【請求項３】
前記シャッタカーテンガイド部は、前記台側部と一体に設けられたパネルガイド片及び該パネルガイド片に設けられたガイドローラである請求項１の開閉装置。
【請求項４】
前記水平レールの終端部に制動装置が設けられ、該制動装置は制動ブロックを有し、該制動ブロックには前記走行車輪に嵌合する制動溝が形成され、前記走行車輪は前記制動溝内を移動し、摩擦力により前記走行台車が制動される請求項１の開閉装置。
【発明の詳細な説明】
【技術分野】
【０００１】
本発明は広間口の開口部に設置され、複数連のシャッタカーテンを有し、シャッタカーテン間に可動式の中柱を有する開閉装置に関するものである。
【背景技術】
【０００２】
建築物、構造物の開口部に設けられる開閉装置に於いて、シャッタカーテンの強度、剛性上から１つのシャッタカーテンで開閉する間口寸法には制限があり、間口が広い開口部に設けられる開閉装置では複数連のシャッタカーテンを有し、シャッタカーテン間には中柱が設けられる。
【０００３】
又、開閉装置の開状態では、中柱が邪魔となるので、中柱を取外すか或は開口部の脇に移動させている。更に、パネルシャッタ等の開閉装置では、中柱は大型で、重量物となるので、可動式となっている。
【０００４】
先ず、図１１、図１２によりシャッタカーテンがパネルで構成される開閉装置について概略を説明する。又、図１１、図１２は開閉装置が２連のシャッタカーテンを有する場合を示している。
【０００５】
開口部の両幅端部にはガイドレール１，２が設けられ、開口部の中央には中柱３が設けられ、開口部の上方にはシャッタカーテン収納ボックス４が設けられている。
【０００６】
左右のシャッタカーテン５，６はそれぞれ所要数のパネル１０がチェーン等の索部材により上下方向に連結された構成を有している。前記左右のシャッタカーテン５，６はそれぞれ前記ガイドレール１、前記中柱３及び前記ガイドレール２及び前記中柱３にガイドされ、昇降し、更に上昇したパネル１０は水平ガイドレール（図示せず）にガイドされ、各パネル１０が水平ガイドレールに吊下げられた状態で前記シャッタカーテン収納ボックス４に収納される様になっている。
【０００７】
前記シャッタカーテン５，６が前記シャッタカーテン収納ボックス４に収納され、開口部が開放された状態で、前記中柱３は水平方向に移動され、前記ガイドレール１或は前記ガイドレール２側に設けられた格納のスペースに収納される様になっている。
【０００８】
図１３〜図１５に於いて、従来の中柱３の支持構造について説明する。
【０００９】
前記中柱３は走行台車７を介して一対の水平レール８に走行自在に垂下されており、該水平レール８は、前記パネル１０が通過する空間を挾んで対向し、マグサ１７と平行に設置されている。
【００１０】
前記走行台車７は凹字状に成形された板材の台車部９及び該台車部９の両側面に２個宛設けられた走行車輪１１から成り、該走行車輪１１が前記水平レール８に軌乗する構成となっている。又、前記中柱３は枢軸１２を介して前記台車部９に垂設され、前記枢軸１２を介して回転可能となっている。
【００１１】
前記中柱３は閉状態の前記シャッタカーテン５，６を支持すると共に該シャッタカーテン５，６が開閉する場合の昇降ガイドとなっており、前記中柱３の両幅部にはガイドレール１４が形成され、該ガイドレール１４は前記中柱３が設置された状態で前記シャッタカーテン収納ボックス４側に設けられた固定ガイドレール（後述）と連続する様になっている。
【００１２】
図１５に於いて、前記固定ガイドレール１８と前記ガイドレール１４との関係を説明する。
【００１３】
図１５中、１５は前壁、１６は天井板、１７はマグサを示し、前記水平レール８は前記マグサ１７と一体に設けられている。
【００１４】
前記シャッタカーテン収納ボックス４と前記天井板１６との間は、施工上、空間が形成され、前記シャッタカーテン収納ボックス４と前記天井板１６との間には前記固定ガイドレール１８が設けられる。前記中柱３は、前記固定ガイドレール１８の延長上に設置される様になっている。
【００１５】
上記した様に、前記走行台車７は走行自在となっているので、前記台車部９と前記固定ガイドレール１８との間には間隙Ａが必要であり、又前記中柱３は前記台車部９に対して回転自在であるので、前記中柱３と前記台車部９との間には間隙Ｂが必要である。
【００１６】
従って、前記ガイドレール１４と前記固定ガイドレール１８との間には、不連続部分（Ａ＋Ｂ）が形成され、前記パネル１０が不連続部分を通過する際に、前記固定ガイドレール１８或は前記中柱３に円滑にガイドされない状態となる場合がある。
【００１７】
【特許文献１】特開２００８−８８７３３号公報
【発明の開示】
【発明が解決しようとする課題】
【００１８】
本発明は斯かる実情に鑑み、簡単な構成でガイドレールの不連続部分を短くし、シャッタカーテンの円滑な開閉を可能とするものである。
【課題を解決するための手段】
【００１９】
本発明は、シャッタカーテンが複数連設けられ、シャッタカーテンの間に中柱が設けられる開閉装置に於いて、マグサに沿って水平レールが相対向して設けられ、該水平レールに軌乗する走行車輪を介して走行自在に走行台車が設けられ、該走行台車は前記中柱が垂設される台部と前記走行車輪が設けられる台側部を有し、該台側部は前記台部より前記中柱移動方向に延出して前記台側部間にシャッタカーテンの通過路を形成し、前記台側部の先端部内側にシャッタカーテンガイド部を設けた開閉装置に係るものである。
【００２０】
又本発明は、前記シャッタカーテンガイド部は、前記台側部と一体に設けられたパネルガイド片及び該パネルガイド片の内側に形成された面取部である開閉装置に係り、又前記シャッタカーテンガイド部は、前記台側部と一体に設けられたパネルガイド片及び該パネルガイド片に設けられたガイドローラである開閉装置に係るものである。
【００２１】
又本発明は、前記水平レールの終端部に制動装置が設けられ、該制動装置は制動ブロックを有し、該制動ブロックには前記走行車輪に嵌合する制動溝が形成され、前記走行車輪は前記制動溝内を移動し、摩擦力により前記走行台車が制動される開閉装置に係るものである。
【発明の効果】
【００２２】
本発明によれば、シャッタカーテンが複数連設けられ、シャッタカーテンの間に中柱が設けられる開閉装置に於いて、マグサに沿って水平レールが相対向して設けられ、該水平レールに軌乗する走行車輪を介して走行自在に走行台車が設けられ、該走行台車は前記中柱が垂設される台部と前記走行車輪が設けられる台側部を有し、該台側部は前記台部より前記中柱移動方向に延出して前記台側部間にシャッタカーテンの通過路を形成し、前記台側部の先端部内側にシャッタカーテンガイド部を設けたので、該シャッタカーテンガイド部が走行台車が走行する空間部分でシャッタカーテンをガイドし、中柱のガイドレール欠切部を補充し、シャッタカーテンの円滑な昇降を可能とする。
【００２３】
又本発明によれば、前記シャッタカーテンガイド部は、前記台側部と一体に設けられたパネルガイド片及び該パネルガイド片の内側に形成された面取部であるので、分品点数が少なく、簡単な構成とし、製作コストの低減が図れる。
【００２４】
又本発明によれば、前記シャッタカーテンガイド部は、前記台側部と一体に設けられたパネルガイド片及び該パネルガイド片に設けられたガイドローラであるので、シャッタカーテンが前記シャッタカーテンガイド部を通過する際の接触が、転がり接触となり、円滑で又騒音を低減できる。
【００２５】
又本発明によれば、前記水平レールの終端部に制動装置が設けられ、該制動装置は制動ブロックを有し、該制動ブロックには前記走行車輪に嵌合する制動溝が形成され、前記走行車輪は前記制動溝内を移動し、摩擦力により前記走行台車が制動されるので、中柱格納時での衝撃、騒音を低減できる等の優れた効果を発揮する。
【発明を実施するための最良の形態】
【００２６】
以下、図面を参照しつつ本発明を実施する為の最良の形態を説明する。
【００２７】
図１〜図５に於いて、本発明に係る開閉装置を説明する。尚、開閉装置の概略については、図１１、図１２と同様であるので、図示を省略し、図１〜図５中、図１３〜図１５中で示したものと同等のものには同符号を付してある。
【００２８】
中柱３は、走行台車２１に垂設され、該走行台車２１は走行車輪１１を介して水平レール８に軌乗し、前記走行台車２１は前記水平レール８に沿って水平方向に走行自在となっている。
【００２９】
又、前記中柱３には固定装置２２が設けられ、該固定装置２２によって前記中柱３が設置された状態で、該中柱３を床面に固定可能となっている。
【００３０】
前記走行台車２１は、中央部の断面が凹字状となっている台車部２３、該台車部２３の両側面に２個宛に設けられた前記走行車輪１１を有しており、前記台車部２３は中央部の台部２４、両側面部の台側部２５から形成されている。該台側部２５は前記台部２４より前方、後方に（図４中右側を前とする）に延出し、前端、後端は前記ガイドレール１４の縁部迄延出している。前記台側部２５，２５との間は、前記パネル１０が通過する際の通過路となっており、前記台側部２５，２５とは前記パネル１０に接触することがない様な間隔が明けられている。
【００３１】
前記台部２４には枢軸１２を介して前記中柱３が回転自在に垂設され、前記台部２４には後述する上ロックピン３７（図６参照）が嵌合するロック孔３０が穿設されている。
【００３２】
前記台側部２５の前端、後端の内側には、パネルガイド片２６がそれぞれ対称に設けられている。該パネルガイド片２６の内縁の幅方向の位置は、前記ガイドレール１４の上端に形成されるテーパ部２７に掛る位置とされ、又前記パネルガイド片２６の上端内縁部には面取部２８が形成されている。
【００３３】
前記パネルガイド片２６は、図１５で示す間隙Ａを略充足する状態となり、図１５で示した不連続部分（Ａ＋Ｂ）が少なくなり、又前記パネルガイド片２６に前記面取部２８が形成されているので、前記パネル１０が前記固定ガイドレール１８と前記中柱３に掛渡って通過する際に、円滑な移動が可能となり、前記パネルガイド片２６、前記面取部２８は、前記パネル１０、即ちシャッタカーテンガイド部として機能する。
【００３４】
前記固定装置２２を、図１、図６、図７を参照して説明する。尚、図６、図７は、前記中柱３の表面パネルを除去して内部を露出された状態を示している。
【００３５】
前記中柱３の中央部には上下に貫通する凹部２９が形成され、該凹部２９に前記固定装置２２が収納される様になっている。該固定装置２２は、前記中柱３の屋内側に露出するハンドル３１を有し、該ハンドル３１は軸（図示せず）を介して回転可能に支持され、前記軸に上下のリンクプレート３２，３２が連結され、前記ハンドル３１を回転することで前記リンクプレート３２，３２が上下に移動する様になっている。
【００３６】
前記ハンドル３１には上ロッド３４、下ロッド３５が連結され、前記上ロッド３４の上端には上ロックブロック３６が設けられ、該上ロックブロック３６は上方に突出する上ロックピン３７を有している。前記下ロッド３５の下端には下ロックブロック３８が設けられ、該下ロックブロック３８は下方に突出する下ロックピン３９を有している。
【００３７】
前記下ロッド３５の下部所要位置には固定バー４１が固着され、該固定バー４１には下方に延出する２本のスプリングガイド４２が設けられ、該スプリングガイド４２にはスライドカバー４３が摺動自在に設けられ、該スライドカバー４３と前記固定バー４１との間には、付勢手段である圧縮スプリング４４が前記スプリングガイド４２に外嵌される状態で設けられる。
【００３８】
前記中柱３の下端にはスカート部４５が出入り自在に設けられ、該スカート部４５は前記スライドカバー４３の下端に固着され、前記スカート部４５は前記下ロッド３５に対して上下方向に相対変位可能となっていると共に前記スプリングガイド４２によって下方に付勢されている。前記下ロックピン３９は前記スカート部４５を貫通して下方に突出し、該スカート部４５が上方に相対変位することで、前記下ロックピン３９は前記スカート部４５より下方に突出する様になっている。
【００３９】
而して、前記中柱３を固定する場合は、前記ハンドル３１を回転することで、前記上ロックブロック３６が上方に移動し、前記上ロックピン３７が前記台部２４の前記ロック孔３０に嵌合して前記中柱３の回転が規制される。又前記下ロックブロック３８は前記下ロッド３５を介して下方に移動し、前記下ロックピン３９が床面に設けられたロック穴（図示せず）に嵌合して、前記中柱３の回転、水平方向の移動を規制する。
【００４０】
又、前記スカート部４５は前記下ロックブロック３８と共に下方に変位し、床面に当接した後は、前記下ロックブロック３８のみが前記圧縮スプリング４４に抗して下方に変位する。従って、床面のレベルが規定値に対して誤差を有している場合も、前記スカート部４５の前記下ロックブロック３８に対する相対変位により前記中柱３の下端に隙間が生じることがない。
【００４１】
該中柱３を移動させ、定位置に格納する場合、ストッパが必要となるが、前記中柱３は大型の重量物であり慣性力も大きく、停止時の衝撃が大きい。
【００４２】
本発明では、図８、図９に示される様に、格納位置（停止位置）に制動装置５１を設け、停止時に制動力を作用させ、衝撃を軽減させる様にしている。尚、図８中、左側に位置する中柱３は、前記枢軸１２を中心に９０°回転させた格納姿勢を示している。
【００４３】
前記水平レール８の終端、即ち停止位置に制動ブロック５２を設ける。
【００４４】
該制動ブロック５２は、例えばポリアミド、ポリウレタン等の可撓性及び／又は弾力性を有する合成樹脂製であり、制動溝５３が形成されている。
【００４５】
該制動溝５３は、図９に示される様に、終端部にストッパ部５４、制動部５５を有し、前記制動溝５３の上端部、下端部は前記走行車輪１１の外周部が嵌合する様に転動溝５６が凹設されている。
【００４６】
又、前記制動溝５３の溝幅Ｈは、前記走行車輪１１の外径より小さくなっており、該走行車輪１１は前記制動溝５３を押広げる様に、該制動溝５３を移動し、前記ストッパ部５４で停止される。従って、前記走行車輪１１が前記制動部５５をＬ移動する際に摩擦力が作用して、前記中柱３の停止時に制動力が作用する。而して、前記中柱３の格納時の衝撃が抑制され、騒音の発生が抑制される。
【００４７】
尚、前記制動ブロック５２による制動力の調整は、溝幅Ｈ、移動距離Ｌを適宜選択することで決定する。尚、前記制動ブロック５２では、前記ストッパ部５４、前記制動部５５とを一体に成形したが、前記ストッパ部５４と前記制動部５５とは分離してもよい。
【００４８】
又、前記制動装置５１は前記水平レール８の終端だけでなく、前記シャッタカーテン収納ボックス４内での制動を行う為、該シャッタカーテン収納ボックス４に設けられる水平レール（図示せず）に設置してもよい。
【００４９】
次に、図１０により本発明の第２の実施の形態について説明する。
【００５０】
第２の実施の形態では、パネルガイド片２６部分をパネル１０がより円滑に通過する様にしたものであり、前記パネルガイド片２６に支持軸４７を取付け、該支持軸４７にガイドローラ４８を回転自在に設けたものであり、前記面取部２８と同様に、前記パネル１０の通過を円滑にするものである。又、該パネル１０との接触が転がり接触となるので、移動はより円滑となる。又、前記パネルガイド片２６、前記ガイドローラ４８の材質は、金属でもよいし、或は合成樹脂としてもよい。尚、第２の実施の形態に於いては、前記パネルガイド片２６及び前記ガイドローラ４８がシャッタカーテンガイド部を構成する。
【図面の簡単な説明】
【００５１】
【図１】本発明の第１実施の形態に係る中柱の斜視図である。
【図２】図１のＡ矢視図である。
【図３】第１の実施の形態に係る中柱の上部斜視図である。
【図４】第１の実施の形態に係る走行台車の斜視図である。
【図５】該走行台車の正面図である。
【図６】第１の実施の形態に係る中柱の内部を示す正面図である。
【図７】第１の実施の形態に係る中柱の内部を示す斜視図である。
【図８】本発明に用いられる制動装置の正面図である。
【図９】該制動装置に用いられる制動ブロックの斜視図である。
【図１０】本発明の第２の実施の形態に係る中柱の上部側面図である。
【図１１】本発明が実施される開閉装置の一例を示す正面図である。
【図１２】本発明が実施される開閉装置の一例を示す側面図である。
【図１３】従来例の中柱を示す斜視図である。
【図１４】従来例の中柱の上部斜視図である。
【図１５】従来例の中柱の上部側面図である。
【符号の説明】
【００５２】
３              中柱
４              シャッタカーテン収納ボックス
５，６          シャッタカーテン
８              水平レール
１１            走行車輪
１６            天井板
１７            マグサ
１８            固定ガイドレール
２１            走行台車
２２            固定装置
２３            台車部
２４            台部
２５            台側部
２６            パネルガイド片
２７            テーパ部
２８            面取部
２９            凹部
３１            ハンドル
４８            ガイドローラ
５１            制動装置
５２            制動ブロック
５３            制動溝
５４            ストッパ部
５５            制動部
【図１】
2010112116.tif 000003
【図２】
2010112116.tif 000004
【図３】
2010112116.tif 000005
【図４】
2010112116.tif 000006
【図５】
2010112116.tif 000007
【図６】
2010112116.tif 000008
【図７】
2010112116.tif 000009
【図８】
2010112116.tif 000010
【図９】
2010112116.tif 000011
【図１０】
2010112116.tif 000012
【図１１】
2010112116.tif 000013
【図１２】
2010112116.tif 000014
【図１３】
2010112116.tif 000015
【図１４】
2010112116.tif 000016
【図１５】
2010112116.tif 000017